(57)【要約】長尺なミサイルランチャーセルが、複数セル列となるよう配列可能に構成されている。この列におけるミサイルランチャーセルのそれぞれは、キャニスター化されたミサイルを収容する支持構造体を具備する。また各セルは、それ自身の煙突と排出ガスプレナムとを具備しており、したがって別個に使用することができる。各セルはそれ自身がミサイル排気能力を有するので、排出ガスの放出のために設けられる、ミサイルランチャー列の空きである、一つ以上のベイを確保する必要はない。
2005520122.tif 000002
【特許請求の範囲】
【請求項１】
キャニスター化されたミサイルを納めるためのミサイルランチャーであって、このミサイルキャニスターは、ミサイル発射前においては、前記ミサイルキャニスターを甲板の下方で概して垂直な発射ポジションで保持するために、ミサイル発射端部およびミサイル排気端部を形成しており、前記ミサイルランチャーは、
少なくとも１本の長尺な排出ガス煙突と、
ミサイル発射端部およびミサイル排気端部を形成する概して軸状の空隙を形成している支持構造体と、
前記支持構造体の前記ミサイル排気端部付近に取り付けられたミサイル排気プレナムと、
閉塞時には、少なくとも前記支持構造体、前記少なくとも１本の煙突、および前記空隙内に収容されたミサイルキャニスターを防護するとともに、開放時には、前記ミサイルの発射のため、および前記少なくとも１本の煙突からの前記排出ガスの放出のための隙間を付与する、前記ミサイル発射構造体の前記ミサイル発射端部に取り付けられたドア構造体と、を具備し、
前記支持構造体の前記空隙は、前記ミサイルキャニスターを収容するのに十分な長さおよび断面積を有しており、前記少なくとも１本の排気煙突は前記支持構造体の外面に沿って存在し、かつ前記ミサイル発射端部付近から前記ミサイル排気端部付近まで、前記空隙の前記軸線と平行に延在しており、
ミサイル排出ガスを前記支持構造体の前記ミサイル排気端部から前記少なくとも１本の煙突へ送り込むため、そしてミサイル排出ガスを前記少なくとも１本の煙突から前記支持構造体の前記ミサイル発射端部付近に放出させるため、前記ミサイル排気プレナムは、前記支持構造体の前記ミサイル排気端部付近で、前記少なくとも１本の排気煙突に接続されており、前記ミサイル排気プレナムはさらに前記ミサイルキャニスターにおける前記ミサイル排気端部への取り付けのための取り付け手段を具備してなることを特徴とするミサイルランチャー。
【請求項２】
前記空隙は長方形断面を有することを特徴とする請求項１に記載のミサイルランチャー。
【請求項３】
前記長方形空隙は正方形断面を有することを特徴とする請求項２に記載のミサイルランチャー。
【請求項４】
前記キャニスター化されたミサイルは、Ｍｋ２５キャニスター化ミサイルであることを特徴とする請求項３に記載のミサイルランチャー。
【請求項５】
前記支持構造体は格子構造体であることを特徴とする請求項１に記載のミサイルランチャー。
【請求項６】
前記少なくとも１本の排気煙突は、２本の排気煙突であることを特徴とする請求項１に記載のミサイルランチャー。
【請求項７】
ミサイルランチャーの列であって、前記列の中の前記ミサイルランチャーのそれぞれは、キャニスター化されたミサイルを納めるための寸法となっており、このミサイルキャニスターはミサイル発射端部およびミサイル排気端部を形成しており、前記ミサイルランチャーのそれぞれは、ミサイル発射前においては、前記ミサイルキャニスターを甲板の下方で概して垂直な発射ポジションで保持するようになっており、前記ミサイルランチャーのそれぞれは、
少なくとも１本の長尺な排出ガス煙突と、
ミサイル発射端部およびミサイル排気端部を形成する概して軸状の空隙を形成している支持構造体と、
前記支持構造体の前記ミサイル排気端部付近で前記支持構造体に取り付けられたミサイル排気プレナムと、
閉塞時には、少なくとも前記支持構造体、前記少なくとも１本の煙突、および前記空隙内に収容されたミサイルキャニスターを防護するとともに、開放時には、前記ミサイルの発射を可能にし、かつ前記少なくとも１本の排気煙突から前記排出ガスの放出を可能にする、前記ミサイル発射構造体の前記ミサイル発射端部に取り付けられたドア構造体と、を具備し、
前記支持構造体の前記空隙は、前記ミサイルキャニスターを収容するのに十分な長さおよび断面積を有しており、前記少なくとも１本の排気煙突は前記支持構造体の外面に隣接して存在し、かつ前記ミサイル発射端部付近から前記ミサイル排気端部付近まで、前記空隙の前記軸線と平行に延在しており、
ミサイル排出ガスを前記支持構造体の前記ミサイル排気端部から前記少なくとも１本の煙突へ送り込むため、そしてミサイル排出ガスを前記少なくとも１本の煙突から前記支持構造体の前記ミサイル発射端部付近に放出させるため、前記ミサイル排気プレナムは、前記支持構造体の前記ミサイル排気端部付近で前記少なくとも１本の排気煙突に接続されており、前記ミサイル排気プレナムはさらに前記ミサイルキャニスターにおける前記ミサイル排気端部への取り付けのための取り付け手段を具備しており、
前記列はさらに、
前記列を形成するべく前記ミサイルランチャーを相互に取り付けるため、および前記列を、下方に位置する構造体に取り付けるための、前記列の中の前記ミサイルランチャーそれぞれに連結された取り付け手段と、
前記空隙それぞれの中に位置させられたキャニスター化されたミサイルと、を具備してなることを特徴とするミサイルランチャーの列。
【請求項８】
ミサイルキャニスターを納めるためのミサイルランチャーであって、このミサイルキャニスターは、ミサイル発射前においては、前記ミサイルキャニスターを甲板の下方で概して垂直な発射ポジションで保持するために、ミサイル発射端部およびミサイル排気端部を形成しており、前記ミサイルランチャーは、
少なくとも１本の長尺な排出ガス煙突と、
ミサイル発射端部およびミサイル排気端部を形成する概して軸状の空隙を形成している格子状支持構造体と、
前記支持構造体の前記ミサイル排気端部付近に取り付けられたミサイル排気プレナムと、
閉塞時には、少なくとも前記格子状支持構造体、前記少なくとも１本の煙突、および前記空隙内に収容されたミサイルキャニスターを防護するとともに、開放時には、前記空隙内のキャニスター内に収容されたそのミサイルの発射のための隙間を付与し、かつ前記少なくとも１本の煙突からの前記排出ガスの放出を可能にする、前記ミサイル発射構造体の前記ミサイル発射端部に取り付けられたドア構造体と、を具備し、
前記格子状支持構造体の前記空隙は、前記ミサイルキャニスターを収容するのに十分な長さおよび断面積を有しており、前記少なくとも１本の排気煙突は前記支持構造体の外面に隣接して存在し、かつ前記ミサイル発射端部付近から前記支持構造体の前記ミサイル排気端部付近まで延在しており、
ミサイル排出ガスを前記支持構造体の前記ミサイル排気端部から前記少なくとも１本の煙突へ送り込むため、そしてこれによってミサイル排出ガスを前記少なくとも１本の煙突から前記支持構造体の前記ミサイル発射端部付近に放出させるため、前記ミサイル排気プレナムは、前記支持構造体の前記ミサイル排気端部付近で、前記少なくとも１本の排気煙突に接続されており、前記ミサイル排気プレナムはさらに、前記ミサイルキャニスターにおける前記ミサイル排気端部への取り付けのための取り付け手段を具備してなることを特徴とするミサイルランチャー。
【請求項９】
前記空隙の断面は、概して断面に関し長方形であることを特徴とする請求項８に記載のミサイルランチャー。
【請求項１０】
前記空隙は、概して断面に関し正方形であることを特徴とする請求項９に記載のミサイルランチャー。
【請求項１１】
ミサイルキャニスターが前記空隙内に存在することを特徴とする請求項１０に記載のミサイルランチャー。
【請求項１２】
前記ミサイルキャニスターは、Ｍｋ２５ミサイルキャニスターであることを特徴とする請求項１１に記載のミサイルランチャー。
【請求項１３】
前記格子状支持構造体はさらに、前記支持構造体を甲板の一つおよび前記ミサイルランチャーの中の隣接する一つへ取り付けるための、前記支持構造体における前記ミサイル発射端部付近に位置させられた取り付け手段を具備してなることを特徴とする請求項８に記載のミサイルランチャー。
【請求項１４】
前記ミサイルランチャー支持構造体はさらに、これによってミサイルランチャー列を形成するべく、付加的な同様のミサイルランチャーの取り付けを助けるための、前記支持構造体の外面に沿って存在する取り付け手段を具備してなることを特徴とする請求項８に記載のミサイルランチャー。
【請求項１５】
前記少なくとも１本の排気煙突は、２本の互いに平行な、実質的に等しい長さの排気煙突からなることを特徴とする請求項８に記載のミサイルランチャー。
【請求項１６】
複数のＭｋ２５ミサイルキャニスターを収容し、かつ防護するためのミサイルランチャーの列であって、このミサイルキャニスターのそれぞれは１基以上のミサイルを含み、かつ使用にあたっては、前記ミサイルキャニスターを甲板の下方で概して垂直な発射ポジションで収容するために、このミサイルキャニスターのそれぞれはミサイル発射端部およびミサイル排気端部を形成しており、前記ミサイルランチャーの列は、複数の別個のミサイルランチャーを含む砲列を具備しており、前記別個のミサイルランチャーそれぞれは、
少なくとも１本の長尺な排出ガス煙突と、
ミサイル発射端部およびミサイル排気端部を形成する概して軸状の空隙を形成している格子状支持構造体と、
前記支持構造体における前記ミサイル排気端部付近で前記支持構造体に取り付けられたミサイル排気プレナムと、
閉塞時には、少なくとも前記支持構造体、前記少なくとも１本の煙突、および前記空隙内に収容されたミサイルキャニスターを防護するとともに、開放時には、前記ミサイルキャニスターからの前記ミサイルの発射および前記少なくとも１本の煙突からの前記排出ガスの放出を可能にする、前記ミサイル発射構造体の前記ミサイル発射端部に取り付けられたドア構造体と、を具備し、
前記格子状支持構造体の前記空隙は、前記ミサイルキャニスターの一つを収容するのに十分な長さおよび断面積を有しており、前記少なくとも１本の排気煙突は前記支持構造体の外面に隣接し、かつ前記ミサイル発射端部付近から前記支持構造体の前記ミサイル排気端部付近まで延在しており、
ミサイル排出ガスを前記支持構造体の前記ミサイル排気端部から前記少なくとも１本の煙突へ送り込むため、そしてミサイル排出ガスを前記少なくとも１本の煙突から前記支持構造体における前記ミサイル発射端部付近に放出させるため、前記ミサイル排気プレナムは、前記支持構造体の前記ミサイル排気端部付近で前記少なくとも１本の排気煙突に接続されており、前記ミサイル排気プレナムはさらに、前記ミサイルキャニスターの前記ミサイル排気端部への取り付けのための取り付け手段を具備してなることを特徴とするミサイルランチャーの列。
【請求項１７】
前記列の別個のミサイルランチャーそれぞれの中に収容されたミサイルキャニスターをさらに具備してなることを特徴とする請求項１６に記載のミサイルランチャーの列。
【請求項１８】
前記軸状の空隙は正方形であり、かつＭｋ２５ミサイルキャニスターを収容するための寸法となっていることを特徴とする請求項１６に記載のミサイルランチャーの列。
【発明の詳細な説明】
【技術分野】
【０００１】
本発明はキャニスター化されたミサイル用のランチャーに関し、さらに詳しくは、概して垂直発射用の防護甲板の下に配置されることを想定したランチャーに関する。
【背景技術】
【０００２】
近代的な戦艦は、攻撃および防御軍備に関し、本質的に艦砲よりもむしろミサイルに頼っている。したがって戦艦は、一つ以上のミサイルランチャーの列とともに、単一の自動砲を備える。ミサイルランチャーの列は、艦の後部甲板の単一のミサイルランチャー列と、前部甲板の二つの類似の列とを備える。
【０００３】
艦用のミサイルランチャーの群は、１９９８年１１月１７日にＭｃＮａｂおよびその他の者の名義で発行された特許文献１に記載のものに類似している。ＭｃＮａｂおよびその他の者は、マズル−端部、ブリーチ−端部、そして中間フレームによって直線列として保持された、五つの配列ミサイルランチャー位置の五つの垂直ベイあるいは「スリーブ」を備えた構造について記述している。ＭｃＮａｂおよびその他の者のミサイルランチャー列の各スリーブは、キャニスター化された（canisterized)ミサイルを収容するための寸法となった支持格子構造体を備える。爆風および周囲の状況に対する保護は、複数の別個に制御可能な、あるいは開放可能なハッチを備えた堅牢なハッチアセンブリによって得ており、それら各々は、上記列のスリーブの一つの端部を覆っている。スリーブのブリーチ（breech)端部はプレナム内に開放されており、このプレナムは水供給システムによって冷却される。このプレナムをその下方に位置する構造体に固定するために止め具が配備されている。ＭｃＮａｂ式ランチャーにおいて使用されるミサイルキャニスター（canister)は、マズルおよびブリーチ端部に壊れやすい保護シールを備え、また発射準備が完了したミサイルを備える。おそらくは、もし必要であるならばミサイルに情報を送信するための、および外部指令の結果として発射シーケンスを開始するための電気的インターフェースをも備える。ＭｃＮａｂ式構造体を使用するため、一つ以上のスリーブドアあるいはハッチが開放され、そしてキャニスター化されたミサイルがその中に降ろされる。明確には言及されていないが、おそらく電気ケーブルが、ミサイルキャニスターをスリーブ付近の発射制御システムの一部へ接続するために使用されている。したがってミサイルは遠隔制御される。そのミサイルが発射されるとき、それに関係するドアあるいはハッチが開放されるとともに、スリーブ（これはキャニスター化されたミサイルを含んでいない）のさらなる一つの対応するハッチが開放される。その後、ミサイル点火の指示が出る。その結果として、そのコンテナ内のミサイルは発火し、プレナム内に排出ガスを噴き出し、そしてミサイルはキャニスターのマズル端部から出現し、これと同時に両方の壊れやすいシールを破壊する。ミサイルからプレナムに入った排出ガスは水噴射によって冷却されるが、これは、赤外線（ＩＲ）の痕跡を減少させ、ガス温度による溶損を低減させるために排出ガスの温度を低下させ、そして、こうすることによって大量の水蒸気が発生する。混じり合った水蒸気と排出ガスとは、プレナムから、煙突として使用される、ハッチが開放された空のスリーブによって上記甲板へと追いやられる。もし、ＭｃＮａｂが示すように支持構造体が格子構造体であるならば、排出ガス／蒸気用の煙突として使用されるスリーブの中で空となっているものの内部に保護スリーブが延びることになる。この保護スリーブは、さらなる保護のための融除材料を含む。
【特許文献１】米国特許第５，８３７，９１７号明細書
【発明の開示】
【発明が解決しようとする課題】
【０００４】
ミサイルランチャーの改良が要望されている。
【課題を解決するための手段】
【０００５】
本発明の形態に係るミサイルランチャーセルは、キャニスター化されたミサイルを納めるためのものであって、このキャニスター化されたミサイルは、ミサイル発射前の使用においては、ミサイルキャニスターを甲板の下方で概して垂直な発射ポジションで保持するため、ミサイル発射端部およびミサイル排気端部を形成している。このミサイルランチャーセルは、少なくとも１本の長尺な排出ガス煙突を具備する。それはまた、概して軸状の空隙を形成し、またミサイル発射端部およびミサイル排気端部を形成する支持構造体を具備する。この支持構造体の空隙は、ミサイルキャニスターを収容するのに十分な長さおよび断面積を有する。１本以上の排気煙突が支持構造体の外面に沿って存在し、かつミサイル発射端部付近から支持構造体のミサイル排気端部付近まで、空隙の軸線と平行に延在している。ミサイルランチャーセルはまた、支持構造体のミサイル排気端部付近で、この支持構造体に取り付けられたミサイル排気プレナムを具備する。このミサイル排気プレナムは、支持構造体のミサイル排気端部付近で、１本以上の排気煙突に接続されている。ミサイル排気プレナムはさらに、ミサイルキャニスターにおけるミサイル排気端部への取り付けのための取り付け装置を具備し、これは、ミサイル排出ガスを支持構造体のミサイル排気端部から１本以上の排気煙突へ送り込むため、そしてミサイル排出ガスを１本以上の煙突からミサイルランチャーセルの支持構造体のミサイル発射端部付近に放出させるためである。ドア構造体がミサイル発射セル支持構造体のミサイル発射端部に取り付けられており、これは、閉塞状態では、少なくとも支持構造体、１本以上の煙突、および空隙内に収容されたミサイルキャニスターを防護するためである。
【０００６】
本発明の特定の実施形態においては、空隙は長方形の、あるいはより詳しくは正方形の断面を有する。そして空隙は、Ｍｋ２５キャニスター化ミサイルを収容するための寸法となる。支持構造体は格子構造体となる。特定の実施形態における煙突の数は２本であり、この２本の煙突は互いに平行に、かつ空隙軸線と平行に延在する。
【０００７】
本発明の特に有利な実施形態においては、ミサイルランチャーセルの列は、キャニスター化されたミサイルを納めるための寸法となった列のミサイルランチャーセルそれぞれを有しており、各ミサイルキャニスターは、ミサイル発射端部およびミサイル排気端部を形成している。ミサイル発射前の使用においては、ミサイルランチャーセルの列は、ミサイルキャニスターを甲板の下方で概して垂直な発射ポジションで保持する。ミサイルランチャーセルのそれぞれは、少なくとも１本の長尺な排出ガス煙突と、ミサイル発射端部およびミサイル排気端部を形成する概して軸状の空隙を形成している支持構造体とを具備する。各セルにおける支持構造体の空隙は、ミサイルキャニスターを収容するのに十分な長さおよび断面積を有している。１本以上の排気煙突が支持構造体の外面に取り付けられ、あるいはそれに隣接して存在しており、しかもミサイル発射端部付近から構造体のミサイル排気端部付近まで、空隙の軸線と平行に延在している。ミサイル排気プレナムが、各セルの支持構造体のミサイル排気端部付近で支持構造体に取り付けられている。各セルのミサイル排気プレナムは、支持構造体のミサイル排気端部付近で１本以上の排気煙突に接続されており、そしてまた、ミサイルキャニスターにおけるミサイル排気端部への取り付けのための取り付け装置あるいは手段を具備する。これは、ミサイル排出ガスを支持構造体のミサイル排気端部から１本以上の煙突へ送り込むため、そしてミサイル排出ガスを少なくとも１本の煙突から支持構造体のミサイル発射端部付近に放出させるためである。ドア構造体がミサイル発射構造体のミサイル発射端部に取り付けられる。これは、閉塞時には、少なくとも支持構造体およびミサイルランチャーセルの１本以上の煙突、およびセルの空隙内に収容されたミサイルキャニスターを防護するためであり、かつ、開放時には、そのキャニスターからのミサイルの発射および１本以上の煙突からの排出ガスの放出に備えるためである。この配置は、列のミサイル発射セル内で点火されたミサイルからの排出ガスを逃がすべく煙突あるいは経路を設けるため、少なくとも一つのミサイル発射セルを空にしたり、あるいは非装填状態としたりすることなく、ミサイルランチャーの列について、全てのランチャーセルにキャニスター化されたミサイルが配備された状態を維持することを可能にする。したがって本発明の形態は、列の空隙のそれぞれ（全て）の中に、キャニスター化されたミサイルが配置されるランチャーの列に見出される。
【発明を実施するための最良の形態】
【０００８】
図１は、内部の詳細を明らかにするため構造体の一部を切り落とした状態での、別個のミサイルランチャーセル１０ａ，１０ｂ，１０ｃおよび１０ｄの列１０の簡略斜視あるいは等角図である。図１において、別個のミサイルランチャーセル１０ａ，１０ｂ，１０ｃおよび１０ｄは互いに全く同じものである。各セルは、１２で指し示される格子構造タイプの支持構造体を具備し、したがってミサイルランチャー１０ａは、１２ａで指し示される格子構造タイプの支持構造体１２ａを具備し、ミサイルランチャーセル１０ｂは格子構造タイプの支持構造体１２ｂを具備し、ミサイルランチャーセル１０ｃは格子構造タイプの支持構造体１２ｃを具備し、そしてランチャーセル１０ｄは格子構造タイプの支持構造体１２ｄを具備する。各支持構造体１２は四つの「脚」部を有する。代表例として図１のミサイルランチャーセル１０ｄを採り上げると、三つのそうした脚、すなわち脚１４ｄ１，１４ｄ２および１４ｄ３を見出すことができ、４番目の脚については図示していない。ミサイルランチャー１０ａにおける支持構造体１２ａの図示した脚は１４ａ１および１４ａ２、ミサイルランチャー１０ｂにおける支持構造体１２ｂの図示した脚は１４ｂ１および１４ｂ２、そしてミサイルランチャー１０ｃにおける支持構造体１２ｃの図示した脚は１４ｃ１および１４ｃ２である。支持構造体それぞれの脚は、ミサイルランチャーの長さ方向の軸線と平行に延びている。特に、さまざまな脚が、それに対応するランチャーセルの長さ方向の軸線８ａ，８ｂ，８ｃおよび８ｄと平行に延びている。
【０００９】
複数の相互連結支持ブレースが、ミサイルランチャーセルそれぞれの支持構造体の「脚」の間に延びている。図１に示すように、代表的な支持ブレース２０ａ１，２０ａ２および２０ａ３は、脚要素１４ａ１および１４ａ２との間に延びている。これら脚要素および支持ブレースの組み合わせは、支持構造体１２ａ，１２ｂ，１２ｃおよび１２ｄのそれぞれを垂直に貫通して延在する、長方形あるいは正方形断面を持った長尺な空隙を形成する（図１においては明確には現れない）。そうした空隙それぞれの断面積は、キャニスター化されたミサイルを収容し、しかもそうしたキャニスター化されたミサイルを垂直あるいは略垂直な姿勢で保持するための寸法となっている。キャニスター化されたミサイルがＭａｒｋ２５キャニスター化ミサイルである特定の実施形態においては、断面は正方形である。
【００１０】
防護ドアあるいはハッチアセンブリもしくは構造体は、ミサイルランチャーセルそれぞれの上方あるいはミサイル発射端部に位置させられる。さらに詳しくは、図１には、ミサイルランチャーセル１０ａに関係するハッチアセンブリ１６ａ、ミサイルランチャーセル１０ｂに関係するハッチアセンブリ１６ｂ、ミサイルランチャーセル１０ｃに関係するハッチアセンブリ１６ｃ、およびミサイルランチャーセル１０ｄに関係するハッチアセンブリ１６ｄが示されている。ハッチアセンブリのそれぞれは、概してフラットな甲板部あるいは甲板延在部と、１基以上のミサイルが飛び出し、かつまたは排出ガスが出て行く一つ以上の開口を覆うハッチとを具備する。図１において、ミサイルランチャーセル１０ａのハッチアセンブリ１６ａは、甲板延在部１６ａｄの甲板部および開きハッチ１６ａｈを有し、ミサイルランチャーセル１０ｄのハッチアセンブリ１６ｄは、甲板１６ｄｄおよび開きハッチ１６ｄｈを有し、これらハッチは閉塞ポジションで示されている。ミサイルランチャー１６ｃのハッチアセンブリ１６ｃは、甲板１６ｃｄと開放ハッチ１６ｃｈとを有する。ハッチアセンブリ１６ｂのハッチ１６ｂｈは、キャニスター化されたミサイル（図１では示していない）が収容される正方形のミサイル端部「開口」１８ｂｍ、および付加的な煙突あるいは排気放出開口１８ｂｃ１および１８ｂｃ２を露出させるため仮想的に示されている。
【００１１】
図１の列１０におけるミサイルランチャーセル１０ａ，１０ｂ，１０ｃおよび１０ｄのそれぞれはまた、ミサイル排出ガス取り込みダクトあるいは煙突の対を具備する。図１においては、ミサイルランチャーセル１０ａに関係する２本の煙突の一部は３０ａ１および３０ａ２で指し示されるとともに、ミサイルランチャーセル１０ｂの対応する煙突の一部は３０ｂ１および３０ｂ２でそれぞれ指し示されている。図１においては、ミサイルランチャーセル１０ｃに関係する煙突は３０ｃ１および３０ｄ２で指し示されるとともに、ミサイルランチャーセル１０ｄに関係する煙突は３０ｄ１および３０ｄ２で指し示されている。ランチャーセルのそれぞれに関係する煙突は、各ランチャーセルの底部、ブリーチあるいはミサイル排気端部付近から、ランチャーセルの頂部、マズル、あるいはミサイル発射端部付近まで延びており、概して対応する支持構造体の軸線と平行になっている。したがって、煙突３０ａ１および３０ａ２はミサイルランチャー支持構造体１２ａの長さ方向軸線８ａと平行に延びており、煙突３０ｂ１および３０ｂ２はミサイルランチャー支持構造体１２ｂの長さ方向軸線８ｂと平行に延びており、煙突３０ｃ１および３０ｃ２はミサイルランチャー支持構造体１２ｃの長さ方向軸線８ｃと平行に延びており、煙突３０ｄ１および３０ｄ２はミサイルランチャー支持構造体１２ｄの長さ方向軸線８ｄと平行に延びている。それらの上側端部において、ドアあるいはハッチがその閉塞ポジションにあるとき、さまざまな煙突あるいはミサイル排出ガス取込みダクトは、対応するミサイルランチャーセルのドアあるいはハッチの下方に存在する領域内で開放されている。図１においては、２本の煙突３０ｂ１および３０ｂ２の開放端部は、それぞれ１８ｂｃ１および１８ｂｃ２で指し示されている。煙突が金属製の場合には溶接によって、他の材料ならば他の好適な固定手段によって、煙突は好ましくは対応する甲板プレートに固定される。たとえば煙突３０ｂ１および３０ｂ２は甲板プレート１６ｂｄに固定される。対応するハッチ１６ｂｈは、それが閉塞状態のとき、二つの煙突開口１８ｂｃ１および１８ｂｃ２の両方とともに、支持構造体１２ｂに関係するか、あるいはそれによって形成される長尺な、垂直方向を向く空隙の上側端部をも覆う。
【００１２】
煙突に加えて、列１０のミサイルランチャーセル１０ａ，１０ｂ，１０ｃおよび１０ｄのそれぞれは、排出ガスプレナムあるいはマニホールドと関係している。それゆえ、プレナム４０ａはミサイルランチャーセル１０ａと関係し、プレナム４０ｂはミサイルランチャーセル１０ｂと関係し、プレナム４０ｃはミサイルランチャーセル１０ｃと関係し、そしてプレナム４０ｄはミサイルランチャーセル１０ｄと関係する。排出ガスプレナムのそれぞれは、プレナムを支持構造体に取り付けるための取り付け装置を具備する。本発明の特定の実施形態においては、取り付け装置はまた、キャニスターとともに使用されるキャニスター化されたミサイルのキャニスターの下側端部に、プレナムが確実に取り付けられた状態となるようにする“ドグダウン（dogdown）”装置を支持する。図１においては、ミサイルランチャーそれぞれの排出ガスプレナム用の取り付け装置は、四つのボスあるいはボスのセット４２の構造体を具備する。したがって、図１の排出ガスプレナム４０ａは、その上面の上に四つの取り付けボスを具備し、それら各々は４２ａで指し示されるが、このボス４２ａは長方形あるいは正方形の排出ガス導入ポート４４ａの周囲に間隔を置いて配置される。同様に、排出ガスプレナム４０ｂは、その上面の上に四つの取り付けボスを具備し、それら各々は４２ｂで指し示されるが、このボス４２ｂは正方形の排出ガス導入ポート４４ｂの周囲に間隔を置いて配置され、排出ガスプレナム４０ｃは、その上面の上に四つの取り付けボスを具備し、それら各々は４２ｃで指し示されるが、このボス４２ｃは正方形の排出ガス導入ポート４４ｃの周囲に間隔を置いて配置され、そして排出ガスプレナム４０ｄは、その上面の上に四つの取り付けボスを具備し、それら各々は４２ｄで指し示されるが、このボス４２ｄは正方形の排出ガス導入ポート４４ｄの周囲に間隔を置いて配置される。セット４２のボスのそれぞれは、関係する支持構造体の脚の下側端部に取り付けられる。例として、図１に見られるミサイルランチャー１０ｄの支持構造体１２ｄの３本の垂直に配置された脚１４ｄ１，１４ｄ２および１４ｄ３の下側端部は、観察者に最も近いプレナム４０ｄのこれら三つのボス４２ｄに取り付けられる。これは、プレナム４０ｄをその関係する支持構造体１２ｄに効果的に固定する。長尺な垂直方向を向いた空隙（図１においては符号を付していない）の軸線８ｄは、プレナム４０ｄのミサイル排出ガス導入ポート４４ｄの上に置かれている支持構造体１２ｄと関係している。
【００１３】
各ミサイルランチャーセルにおける煙突あるいはミサイル排出ガス取り込みダクトは、それらの下側の、ミサイル排気、あるいはブリーチ端部において、関係するプレナムの対応する開口に接続されている。これによってプレナムに入ったミサイル排出ガスは煙突を経て、上側、ミサイル発射、あるいは構造体のマズルの端部付近の位置に放出することができる。さらに詳しく言うと、ミサイルランチャー１０ａの煙突３０ａ１および３０ａ２の下側端部は、プレナム４０ａの対応する開口４６ａ１および４６ａ２に接続されており、ミサイルランチャー１０ｂの煙突３０ｂ１および３０ｂ２の下側端部は、プレナム４０ｂの対応する開口４６ｂ１および４６ｂ２に接続されており、ミサイルランチャー１０ｃの煙突３０ｃ１および３０ｃ２の下側端部は、プレナム４０ｃの対応する開口４６ｃ１および４６ｃ２に接続されており、そしてミサイルランチャー１０ｄの煙突３０ｄ１および３０ｄ２の下側端部は、プレナム４０ｄの対応する開口４６ｄ１および４６ｄ２に接続されている。煙突は、このようにして、その下側端部において、その個々のプレナムに取り付けることにより支持されるとともに、その上側端部において、その個々の甲板プレートに取り付けられる。加えて、その長さ方向に沿って、その個々の支持構造体に対してさらに取り付けがなされる。
【００１４】
図２は、単独で直立している、図１のミサイルランチャー１０ｄの簡略斜視あるいは等角図である。図１の要素に対応する図２の要素は、同じ符号によって指し示している。図２において、ハッチ１６ｄｈの動作を制御する駆動メカニズムの一部が２１６で指し示されている。図３ａは、図２のミサイルランチャー１０ｄの上側、ミサイル発射、あるいはマズルの端部３００の簡略斜視あるいは等角図である。図３ａにおいて、図２の要素に対応する要素は、同じ符号によって指し示されている。図３ａにおいて、甲板部１６ｄｄの縁に形成された開口あるいは孔のさまざまなセットは、３１６ｄａ１，３１６ｄａ２，３１６ｄａ３および３１６ｄａ４で指し示されている。これら一揃いの開口は、各甲板部を他のミサイルランチャーセルの隣接する甲板部に固定するボルトを使用できるようにするために配されている。これは、図１に関連して図示および説明した列を形成するため、あるいはセルの甲板部を、艦の隣接する甲板構造体またはそれが取り付けられる他の支持構造体に固定するためであり、その切り落とされた部分は図３ａにおいて仮想線で３９０として指し示されている。
【００１５】
図３ｂは、構造体のある細部を示す、図２のミサイルランチャー構造体の下側、ミサイル排気端部、あるいはブリーチ端部３８０の簡略斜視あるいは等角図である。図２の要素に対応する図３ｂの要素は、同じ符号によって指し示されている。図３ｂにおいては、プレナム４０ｄの構造体は、脚あるいは支持体３３９ａ，３３９ｂおよび３３９ｃを具備していることがわかる。それら各々には、複数のプレナム対艦マウントあるいは取り付け孔あるいは開口３４０ｄ１，３４０ｄ２および３４０ｄ３がそれぞれ形成されている。加えて、ドグダウンメカニズム３６０の細部は、連結駆動バー３５０ａおよび３５０ｂを具備する。
【００１６】
図４ａ，４ｂおよび４ｃにおいては、図１，２，３ａおよび３ｂの要素に対応する要素は同じ符号によって指し示されている。図４ｃにおいては、開口４１８ｄは、支持構造体１２ｄによって形成される長尺な空隙の端部に対応しており、それは図４ｃにおいて一点差線で示す軸線８ｄを中心としている。図４ｂにおいては、軸線８ｄを図の中心として示される一方で、図４ａでは軸線８ｄが全構造体に対し中心から外れて示されている。軸線８ｄが図４ａにおいて中心から外れて示されているのは、それが支持構造体１２ｄの中心だからである。それは、煙突３０ｄ１および３０ｄ２の存在により、ミサイルランチャーセル１０ｄの全体に対してオフセットしている。
【００１７】
図５は、図１のミサイルランチャーセル１０ｄの単体の断面を示しており、しかもミサイル５１２と、ミサイル発射端部５１０ＭＬおよびミサイル排気端部５１０ＭＥを形成しているミサイルキャニスター５１０と、を示すため部分的に切り落としている。ミサイル５１２はキャニスター５１０内に収容されている。図５においては、ハッチ１６ｄｈは開放されている。
【００１８】
本発明の他の実施形態については、当業者には明白である。たとえば、図のセル１０ｘの支持構造体１２ｘは特定の格子状形態として示されているが、他のタイプのものを用いてもよく、あるいは中実（非格子構造体）部材を用いてもよい。図１のミサイルランチャー列はミサイルランチャーセルの直線列を示しているが、列は長方形とすることもできる。これによって、それは複数の列および段を具備する。そしてミサイルランチャーセルの直線列と長方形あるいは正方形を組み合わせてもよい。各ミサイルランチャーセルと関係するプレナムは概略立方体として示されているが、それはドラム形（すなわち好都合な円形シリンダーの一部）あるいは準球形（球の一部分で、半球を含む）であってもよい。ミサイルキャニスターは単一のミサイルを収容するものとして説明されているが、このミサイルキャニスターは複数のミサイルを収容するタイプとすることもできる。
【００１９】
したがって、本発明の実施形態に係るミサイルランチャーセル（列１０の１２ａ，１２ｂ，１２ｃまたは１２ｄのいずれか一つで、通常は１２ｄが採り上げられる）は、ミサイル発射端部（５１０ＭＬ）およびミサイル排気端部（５１０ＭＥ）を形成するキャニスター化されたミサイル（５１０，５１２）を、ミサイルの発射前の使用において、甲板（３９０）の下方で概して垂直な発射ポジションでミサイルキャニスター（５１０，５１２）を保持するよう収容するためのものである。ミサイルランチャーセル（１６ｄ）は少なくとも１本の長尺な排出ガス煙突（３０ｄ１，３０ｄ２）を具備する。ミサイルランチャーセル（１６ｄ）はまた、概して軸状の空隙（４１８ｄ）を形成し、そしてミサイル発射端部およびミサイル排気端部をも形成する支持構造体(１４ｄ１，１４ｄ２，２０ｄ１，２０ｄ２)を具備する。支持構造体(１４ｄ１，１４ｄ２，２０ｄ１，２０ｄ２)の空隙（４１８ｄ）は、ミサイルキャニスター（５１０，５１２）を収容するのに十分な長さおよび断面積を有している。１本以上の排気煙突（３０ｄ１，３０ｄ２）が、支持構造体(１４ｄ１，１４ｄ２，２０ｄ１，２０ｄ２)の外面に沿って存在しており、そしてミサイル発射端部（３００）付近から支持構造体(１４ｄ１，１４ｄ２，２０ｄ１，２０ｄ２)のミサイル排気端部（３８０）付近まで、空隙（４１８ｄ）の軸線（８ｄ）と平行に延在している。ミサイルランチャーセル（１６ｄ）はまた、支持構造体(１４ｄ１，１４ｄ２，２０ｄ１，２０ｄ２)のミサイル排気端部（３８０）付近で、この支持構造体(１４ｄ１，１４ｄ２，２０ｄ１，２０ｄ２)に取り付けられたミサイル排気プレナム（４０ｄ）を具備する。ミサイル排気プレナム（４０ｄ）は、支持構造体(１４ｄ１，１４ｄ２，２０ｄ１，２０ｄ２)のミサイル排気端部（３８０）付近で、１本以上の排気煙突（３０ｄ１，３０ｄ２）と接続されている。ミサイル排気プレナム（４０ｄ）はさらに取り付け装置（３６０）を具備する。これは、ミサイルキャニスター（５１０，５１２）におけるミサイル排気端部（５１０ＭＥ）への取り付けのためであり、ミサイル排出ガスを支持構造体(１４ｄ１，１４ｄ２，２０ｄ１，２０ｄ２)のミサイル排気端部（３８０）から１本以上の排気煙突（３０ｄ１，３０ｄ２）に送り込むためであり、ミサイル排出ガスを１本以上の煙突（３０ｄ１，３０ｄ２）から、ミサイルランチャーセル（１６ｄ）の支持構造体(１４ｄ１，１４ｄ２，２０ｄ１，２０ｄ２)のミサイル発射端部（３００）付近に放出させるためである。ドアあるいはハッチ構造体（１６ｄｈ）は、ミサイル発射セル支持構造体（１４ｄ１，１４ｄ２，２０ｄ１，２０ｄ２）のミサイル発射端部（３００）に取り付けられている。これは、閉塞状態において、空隙（４１８ｄ）内に収容された、少なくとも支持構造体（１４ｄ１，１４ｄ２，２０ｄ１，２０ｄ２）、１本以上の煙突（３０ｄ１，３０ｄ２）、およびミサイルキャニスター（５１０，５１２）を防護するためである。
【００２０】
本発明の特定の実施形態では、空隙（４１８）は長方形、あるいはさらに詳しくは正方形の断面を有し、かつＭｋ２５キャニスター化ミサイル（５１０，５１２）を収容するための寸法となっている。支持構造体（１４ｄ１，１４ｄ２，２０ｄ１，２０ｄ２）は格子構造体であってもよい。特定の実施形態における煙突（３０ｄ１，３０ｄ２）の数は２であるが、この２本の煙突（３０ｄ１，３０ｄ２）は互いに平行に、そして空隙軸線（８ｄ）と平行に延びている。
【００２１】
本発明の特に有利な実施形態においては、ミサイルランチャーセル（１６ａ，１６ｂ，１６ｃおよび１６ｄ）の列１０は、キャニスター化されたミサイル（５１０，５１２）を収容する寸法となった列のミサイルランチャーセル（１６ｄ）のそれぞれを有している。ここで、ミサイルキャニスター（５１０，５１２）のそれぞれは、ミサイル発射端部（５１０ＭＬ）およびミサイル排気端部（５１０ＭＥ）を形成する。ミサイル発射前の使用においては、ミサイルランチャーセル（１６ｄ）の列（１０）は、甲板の下方で概して垂直な発射ポジションで、ミサイルキャニスター（５１０，５１２）を保持する。ミサイルランチャーセル（１６ｄ）のそれぞれは、少なくとも１本の長尺な排出ガス煙突（３０ｄ１，３０ｄ２）と、概して軸状の空隙（４１８ｄ）を形成し、かつミサイル発射端部（３００）およびミサイル排気端部（３８０）を形成する支持構造体（１４ｄ１，１４ｄ２，２０ｄ１，２０ｄ２）とを具備する。各セルの支持構造体（１４ｄ１，１４ｄ２，２０ｄ１，２０ｄ２）の空隙（４１８）は、ミサイルキャニスター（５１０，５１２）を収容するのに十分な長さおよび断面積を有する。１本以上の排気煙突（３０ｄ１，３０ｄ２）が支持構造体（１４ｄ１，１４ｄ２，２０ｄ１，２０ｄ２）の外面に取り付けられ、およびまたはそれに隣接して存在しており、しかも空隙の軸線（８ｄ）と平行に、ミサイル発射端部（３００）付近から構造体のミサイル排気端部（３８０）付近まで延びている。ミサイル排気プレナム（４０ｄ）は支持構造体（１４ｄ１，１４ｄ２，２０ｄ１，２０ｄ２）に、各セルにおけるこの支持構造体（１４ｄ１，１４ｄ２，２０ｄ１，２０ｄ２）のミサイル排気端部（３８０）付近にて取り付けられている。各セル（１６）のミサイル排気プレナム（４０ｄ）は、支持構造体（１４ｄ１，１４ｄ２，２０ｄ１，２０ｄ２）におけるミサイル排気端部（３８０）付近で、１本以上の排気煙突（３０ｄ１，３０ｄ２）に接続されている。そしてミサイル排気プレナム（４０ｄ）はまた、ミサイルキャニスター（５１０，５１２）のミサイル排気端部（５１０ＭＥ）への取り付け（３６０）のための取り付け装置あるいは手段を具備する。これは、そうすることによって、ミサイル排出ガスを支持構造体（１４ｄ１，１４ｄ２，２０ｄ１，２０ｄ２）のミサイル排気端部（３８０）から、１本以上の煙突（３０ｄ１，３０ｄ２）に送り込むため、そしてミサイル排出ガスを、少なくとも１本の煙突（３０ｄ１，３０ｄ２）から、支持構造体（１４ｄ１，１４ｄ２，２０ｄ１，２０ｄ２）のミサイル発射端部（３００）付近に放出させるためである。ドアあるいはハッチ構造体（１６ｄｈ）は、ミサイル発射支持構造体（１４ｄ１，１４ｄ２，２０ｄ１，２０ｄ２）のミサイル発射端部（３００）に取り付けられている。これは、閉塞時には、少なくともミサイルランチャーセル（１６ｄ）の支持構造体（１４ｄ１，１４ｄ２，２０ｄ１，２０ｄ２）および１本以上の排気煙突（３０ｄ１，３０ｄ２）と、セルの空隙（４１８ｄ）内に収容されたミサイルキャニスター（５１０，５１２）とを防護するためであり、そして開放時には、そのキャニスター（５１０）からのミサイル（５１２）の放出、および１本以上の煙突（３０ｄ１，３０ｄ２）からの排出ガスの放出を可能とするためである。この構造は、列のミサイル発射セル内で点火されたミサイルからの排気ガスを逃がすための煙突あるいは経路を設けるために、少なくとも一つのミサイル発射セルを空きとしたり、あるいは非装填状態としたりすることなく、ミサイルランチャーの列について、全てのランチャーセルがキャニスター化されたミサイルを備えた状態が維持されるようにする。したがって本発明の実施形態は、列の空隙のそれぞれ（全て）の中にキャニスター化されたミサイルが位置させられているランチャー（１０）の列に見出される。
【図面の簡単な説明】
【００２２】
【図１】本発明の形態に係る四つの別個なミサイルランチャーセルの代表的な列の、部分的に切り落とした状態での、簡略斜視あるいは等角図である。
【図２】図１のミサイルランチャーセル単体の簡略斜視あるいは等角図である。
【図３ａ】図２のミサイルランチャーセルのミサイル発射端部付近の甲板部およびハッチの細部を示す簡略斜視あるいは等角図である。
【図３ｂ】図２のミサイルランチャーセルのミサイル排気端部付近のミサイル排気プレナムの細部を示す簡略斜視あるいは等角図である。
【図４ａ】相互に直交する方向から見た、別個の排出ガスマネジメントプレナム、プレナムからランチャーセルのマズルあるいはミサイル出口端部まで延びる、２本の排出ガス煙突あるいは煙路、そしてミサイル発射出口および煙突を覆うドア集合体を示す、ハッチが開放された状態での図２のミサイルランチャーセルの簡略立側面図である。
【図４ｂ】相互に直交する方向から見た、別個の排出ガスマネジメントプレナム、プレナムからランチャーセルのマズルあるいはミサイル出口端部まで延びる、２本の排出ガス煙突あるいは煙路、そしてミサイル発射出口および煙突を覆うドア集合体を示す、ハッチが開放された状態での図２のミサイルランチャーセルの簡略立側面図である。
【図４ｃ】相互に直交する方向から見た、別個の排出ガスマネジメントプレナム、プレナムからランチャーセルのマズルあるいはミサイル出口端部まで延びる、２本の排出ガス煙突あるいは煙路、そしてミサイル発射出口および煙突を覆うドア集合体を示す、ハッチが開放された状態での図２のミサイルランチャーセルの簡略平面図である。
【図５】ミサイルキャニスター内のミサイルの位置、プレナムおよび１本の煙突を含むガスマネジメントシステムの一部、および甲板ドアあるいはハッチを示す、図２のミサイルランチャー単体の簡略立断面図である。
【符号の説明】
【００２３】
８ａ，８ｂ，８ｃ，８ｄ  軸線
１０  列
１０ａ，１０ｂ，１０ｃ，１０ｄ  ミサイルランチャーセル
１２ａ，１２ｂ，１２ｃ，１２ｄ  支持構造体
１４ａ１，１４ａ２  脚
１４ｂ１，１４ｂ２  脚
１４ｃ１，１４ｃ２  脚
１４ｄ１，１４ｄ２，１４ｄ３  脚
１６ａ，１６ｂ，１６ｃ，１６ｄ  ハッチアセンブリ
１６ａｄ，１６ｃｄ，１６ｄｄ  甲板
１６ａｈ，１６ｂｈ，１６ｃｈ，１６ｄｈ  ハッチ
１８ｂｍ  ミサイル端部開口
１８ｂｃ１，１８ｂｃ２  煙突開口
２０ａ１，２０ａ２，２０ａ３  支持ブレース
３０ａ１，３０ａ２  煙突
３０ｂ１，３０ｂ２  煙突
３０ｃ１，３０ｃ２  煙突
３０ｄ１，３０ｄ２  煙突
４０ａ，４０ｂ，４０ｃ，４０ｄ  プレナム
４２ａ，４２ｂ，４２ｃ，４２ｄ  取り付けボス
４４ａ，４４ｂ，４４ｃ，４４ｄ  排出ガス導入ポート
４６ａ１，４６ａ２  開口
４６ｂ１，４６ｂ２  開口
４６ｃ１，４６ｃ２  開口
４６ｄ１，４６ｄ２  開口
３００  マズル端部
３８０  ミサイル排気端部あるいはブリーチ端部
３３９ａ，３３９ｂ，３３９ｃ  脚あるいは支持体
３４０ｄ１，３４０ｄ２，３４０ｄ３  取り付け孔あるいは開口
３５０ａ，３５０ｂ  連結駆動バー
３６０  ドグダウンメカニズム
４１８  開口
５１０  ミサイルキャニスター
５１０ＭＥ  ミサイル排気端部
５１０ＭＬ  ミサイル発射端部
５１２  ミサイル
【図１】
2005520122.tif 000003
【図２】
2005520122.tif 000004
【図３ａ】
2005520122.tif 000005
【図３ｂ】
2005520122.tif 000006
【図４ａ】
2005520122.tif 000007
【図４ｂ】
2005520122.tif 000008
【図４ｃ】
2005520122.tif 000009
【図５】
2005520122.tif 000010
【国際調査報告】
2005520122.tif 000011